(57)【要約】【課題】使い勝手や施工性を向上させたタイマスイッチを提供する。【解決手段】器体１０の前面には、操作スイッチの操作部と、タイマ動作の設定を行うための押操作部２０ａ〜２０ｄと、設定内容を表示する液晶表示部８が配置される。器体１０には前面の略全体を覆うようにして操作ハンドル３０が回動自在に枢支されており、操作ハンドル３０には液晶表示部８および押操作部２０ａ〜２０ｄを臨ませる開口窓３２，３３ａ〜３３ｄが形成されている。また、器体１０の内部には、負荷への電源供給をオン／オフする開閉素子と、押釦スイッチからのスイッチ入力およびタイマ制御の設定内容に応じて開閉素子をオン／オフする制御回路部が収納されている。ここで、器体１０は１連の取付枠に他の埋込型配線器具と共に並設可能な寸法（２個モジュール寸法）に形成されており、取付枠に取り付けるための取付爪１３を器体１０の左右の側面に設けてある。【選択図】図１
2005353553.tif 000002
【特許請求の範囲】
【請求項１】
器体の前面に、操作スイッチの操作部と、タイマ動作に関する動作設定を行うためのタイマ設定部とをそれぞれ配置し、器体の内部に、負荷および商用電源の直列回路の両端間に電気的に接続されて前記負荷への電源供給をオン／オフする開閉素子と、現在の時刻を計時する計時タイマを有し前記操作スイッチからのスイッチ入力に応じて前記開閉素子のオン／オフを反転させるとともに前記計時タイマの計時した現在時刻が前記タイマ設定部の設定時刻になるとタイマ動作の設定内容に応じて前記開閉素子をオン／オフさせる制御回路部とをそれぞれ収納してなり、前記器体の寸法を、規格化された単位モジュール寸法の埋込型配線器具を短幅方向に３個並べて取付可能な１連の取付枠に他の埋込型配線器具と共に並設可能な寸法に形成するとともに、前記取付枠に取り付けるための取付手段を器体に設けたことを特徴とするタイマスイッチ。
【請求項２】
前記器体の前面に、オフ操作時に前記負荷への電源供給の停止を遅らせる遅れ時間を設定する遅れ時間設定部を設けるとともに、前記制御回路部に前記遅れ時間を限時する遅れタイマを設け、前記制御回路部は、前記開閉素子のオン時に前記操作スイッチからのスイッチ入力があると前記遅れタイマの限時動作を開始させ、前記遅れタイマの限時中は前記開閉素子のオン状態を継続し、限時動作が終了すると前記開閉素子をオフさせることを特徴とする請求項１記載のタイマスイッチ。
【請求項３】
前記制御回路部は、前記遅れタイマの限時中に前記操作スイッチからのスイッチ入力があると、前記遅れタイマの限時動作を強制的に終了させて、前記開閉素子をオフさせることを特徴とする請求項２記載のタイマスイッチ。
【請求項４】
前記器体の前面に、タイマ動作に関する設定内容を表示する表示部を配置するとともに、前記器体の前面の略全体を覆うような寸法に形成され、前記器体の前面に設けた枢支部により回動自在に枢支されて、裏面で前記操作部を押操作自在とした操作ハンドルを設け、前記タイマ設定部および前記表示部に対向する前記操作ハンドルの部位に開口窓を貫設し、前記開口窓を露出させる状態と前記開口窓を覆う状態とを選択自在として前記操作ハンドルの前面に取着されるハンドルカバーを設けたことを特徴とする請求項１乃至３の何れか１つに記載のタイマスイッチ。 
【請求項５】
前記器体の前面に、前記制御回路部によって点灯状態が制御される点灯表示部を外部より目視可能な状態で配置し、前記制御回路部は、前記開閉素子のオン時に前記点灯表示部を消灯させるとともに、オフ時に前記点灯表示部を点灯させ、且つ、前記遅れタイマの限時中は前記点灯表示部を所定周期で点滅させることを特徴とする請求項２又は３記載のタイマスイッチ。
【請求項６】
前記計時タイマに現在の時刻を初期設定する時刻設定部を備え、前記制御回路部は、前記計時タイマに時刻が設定されていない場合にはタイマ設定フラグをリセットするとともに、前記時刻設定部を用いて前記計時タイマに現在時刻が設定されると前記タイマ設定フラグをセットしており、前記タイマ設定フラグがリセットされている間は前記点灯表示部を前記所定周期よりも短い周期で点滅させることを特徴とする請求項５記載のタイマスイッチ。
【請求項７】
前記制御回路部の制御モードを、前記操作スイッチからのスイッチ入力のみに応じて前記開閉素子のオン／オフを反転させる手動操作モード、又は、前記操作スイッチからのスイッチ入力に応じて前記開閉素子のオン／オフを反転させるとともに前記計時タイマの計時した現在時刻が前記タイマ設定部の設定時刻になるとタイマ動作の設定内容に応じて前記開閉素子をオン／オフさせるタイマ制御モードの何れかに切り替えるモード切替部を設け、当該モード切替部を用いてタイマ制御モードに切り替えられた場合、前記制御回路部は前記点灯表示部を前記所定周期よりも長い周期で点滅させることを特徴とする請求項５又は６記載のタイマスイッチ。
【請求項８】
前記器体の内部に、負荷および商用電源の直列回路が電気的に接続されるとともに、前記開閉素子の両端にそれぞれ電気的に接続される一対の接続端子を収納し、前記負荷のオフ時には前記接続端子を介して流れる前記負荷の洩れ電流から前記制御回路部の動作電源を生成するとともに、前記負荷のオン時には商用電源のゼロクロス点から前記開閉素子がオンするまでに前記接続端子を介して供給される電力を電源として前記動作電源を生成する電源回路部と、前記商用電源の停電を検知して停電検知信号を出力する停電検知部とを備え、前記電源回路部に前記接続端子を介して流れる電流によって充電されて停電時に前記制御回路部へ電源供給を行うコンデンサを設け、前記制御回路部は、前記停電検知信号が入力されると前記計時タイマ以外の不要な機能を停止させることを特徴とする請求項１乃至７の何れか１つに記載のタイマスイッチ。
【請求項９】
前記器体の内部に、負荷および商用電源の直列回路が電気的に接続されるとともに、前記開閉素子の両端にそれぞれ電気的に接続される一対の接続端子を収納し、前記商用電源から前記接続端子を介して電源供給され前記制御回路部の動作電源を生成する電源回路部と、前記商用電源の停電時に前記制御回路部に電源供給を行うバックアップ用の電池を設けたことを特徴とする請求項１乃至７の何れか１つに記載のタイマスイッチ。
【請求項１０】
前記タイマ設定部を用いて前記開閉素子をオンさせるオン設定時刻と、前記開閉素子をオフさせるオフ設定時刻とを少なくとも設定し、前記制御回路部に、前記オン設定時刻を含む所定の時間幅内でオン時刻をランダムに変化させる手段と、前記オフ設定時刻を含む所定の時間幅内でオフ時刻をランダムに変化させる手段とを設け、前記制御回路部は、前記計時タイマの計時した現在時刻が前記オン時間になると前記開閉素子をオンさせると共に、現在時刻が前記オフ時間になると前記開閉素子をオフさせることを特徴とする請求項１乃至９の何れか１つに記載のタイマスイッチ。
【発明の詳細な説明】
【技術分野】
【０００１】
本発明は、タイマスイッチに関するものである。
【背景技術】
【０００２】
従来より、毎日予め決められた時刻に負荷をオン／オフさせるためのタイマスイッチが提供されている（例えば特許文献１参照）。図１５及び図１６は従来のタイマスイッチ１００を示しており、２連の取付枠１１０に取付可能な２連モジュール寸法の器体１０１を備え、この器体１０１の内部に負荷のタイマ制御を行うタイマ回路１０６を収納してある。また器体１０１の前面に取着された前面パネル１０２には、タイマ制御に関する動作設定（例えばタイマ入時間、タイマ切時間など）を行うための設定釦１０３と、手動で負荷をオン／オフするための操作釦１０４と、タイマ制御の設定内容を表示する液晶表示部１０５とが配置されている。
【特許文献１】特開２００２−３２３９０７号公報
【発明の開示】
【発明が解決しようとする課題】
【０００３】
上述のタイマスイッチを例えば内玄関に設置して、内玄関を照明するランプのオン／オフする場合、内玄関に繋がる廊下に設置したランプをオン／オフするスイッチをタイマスイッチと並設したいという要望があるが、従来のタイマスイッチの器体１０１は２連の取付枠の開口窓と略同じ寸法に形成されているので、他のスイッチと並設するためには３連の取付枠を用いて並設しなければならず、大きな取付スペースが必要になって、施工性が悪いという問題があった。
【０００４】
本発明は上記問題点に鑑みて為されたものであり、その目的とするところは、小型化を図ると共に施工性を向上させたタイマスイッチを提供することにある。
【課題を解決するための手段】
【０００５】
上記目的を達成するために、請求項１の発明は、器体の前面に、操作スイッチの操作部と、タイマ動作に関する動作設定を行うためのタイマ設定部とをそれぞれ配置し、器体の内部に、負荷および商用電源の直列回路の両端間に電気的に接続されて負荷への電源供給をオン／オフする開閉素子と、現在の時刻を計時する計時タイマを有し操作スイッチからのスイッチ入力に応じて開閉素子のオン／オフを反転させるとともに計時タイマの計時した現在時刻がタイマ設定部の設定時刻になるとタイマ動作の設定内容に応じて開閉素子をオン／オフさせる制御回路部とをそれぞれ収納してなり、器体の寸法を、規格化された単位モジュール寸法の埋込型配線器具を短幅方向に３個並べて取付可能な１連の取付枠に他の埋込型配線器具と共に並設可能な寸法に形成するとともに、取付枠に取り付けるための取付手段を器体に設けたことを特徴とする。
【０００６】
請求項２の発明は、請求項１の発明において、器体の前面に、オフ操作時に負荷への電源供給の停止を遅らせる遅れ時間を設定する遅れ時間設定部を設けるとともに、制御回路部に遅れ時間を限時する遅れタイマを設け、制御回路部は、開閉素子のオン時に操作スイッチからのスイッチ入力があると遅れタイマの限時動作を開始させ、遅れタイマの限時中は開閉素子のオン状態を継続し、限時動作が終了すると開閉素子をオフさせることを特徴とする。
【０００７】
請求項３の発明は、請求項２の発明において、制御回路部は、遅れタイマの限時中に操作スイッチからのスイッチ入力があると、遅れタイマの限時動作を強制的に終了させて、開閉素子をオフさせることを特徴とする。
【０００８】
請求項４の発明は、請求項１乃至３の何れか１つの発明において、器体の前面に、タイマ動作に関する設定内容を表示する表示部を配置するとともに、器体の前面の略全体を覆うような寸法に形成され、器体の前面に設けた枢支部により回動自在に枢支されて、裏面で操作部を押操作自在とした操作ハンドルを設け、タイマ設定部および表示部に対向する操作ハンドルの部位に開口窓を貫設し、開口窓を露出させる状態と開口窓を覆う状態とを選択自在として操作ハンドルの前面に取着されるハンドルカバーを設けたことを特徴とする。
【０００９】
請求項５の発明は、請求項２又は３の発明において、器体の前面に、制御回路部によって点灯状態が制御される点灯表示部を外部より目視可能な状態で配置し、制御回路部は、開閉素子のオン時に点灯表示部を消灯させるとともに、オフ時に点灯表示部を点灯させ、且つ、遅れタイマの限時中は点灯表示部を所定周期で点滅させることを特徴とする。
【００１０】
請求項６の発明は、請求項５の発明において、計時タイマに現在の時刻を初期設定する時刻設定部を備え、制御回路部は、計時タイマに時刻が設定されていない場合にはタイマ設定フラグをリセットするとともに、時刻設定部を用いて計時タイマに現在時刻が設定されるとタイマ設定フラグをセットしており、タイマ設定フラグがリセットされている間は点灯表示部を所定周期よりも短い周期で点滅させることを特徴とする。
【００１１】
請求項７の発明は、請求項５又は６の発明において、制御回路部の制御モードを、操作スイッチからのスイッチ入力のみに応じて開閉素子のオン／オフを反転させる手動操作モード、又は、操作スイッチからのスイッチ入力に応じて開閉素子のオン／オフを反転させるとともに計時タイマの計時した現在時刻がタイマ設定部の設定時刻になるとタイマ動作の設定内容に応じて開閉素子をオン／オフさせるタイマ制御モードの何れかに切り替えるモード切替部を設け、当該モード切替部を用いてタイマ制御モードに切り替えられた場合、制御回路部は点灯表示部を所定周期よりも長い周期で点滅させることを特徴とする。
【００１２】
請求項８の発明は、請求項１乃至７の何れか１つの発明において、器体の内部に、負荷および商用電源の直列回路が電気的に接続されるとともに、開閉素子の両端にそれぞれ電気的に接続される一対の接続端子を収納し、負荷のオフ時には接続端子を介して流れる負荷の洩れ電流から制御回路部の動作電源を生成するとともに、負荷のオン時には商用電源のゼロクロス点から開閉素子がオンするまでに接続端子を介して供給される電力を電源として動作電源を生成する電源回路部と、商用電源の停電を検知して停電検知信号を出力する停電検知部とを備え、電源回路部に接続端子を介して流れる電流によって充電されて停電時に制御回路部へ電源供給を行うコンデンサを設け、制御回路部は、停電検知信号が入力されると計時タイマ以外の不要な機能を停止させることを特徴とする。
【００１３】
請求項９の発明は、請求項１乃至７の何れか１つの発明において、器体の内部に、負荷および商用電源の直列回路が電気的に接続されるとともに、開閉素子の両端にそれぞれ電気的に接続される一対の接続端子を収納し、商用電源から接続端子を介して電源供給され制御回路部の動作電源を生成する電源回路部と、商用電源の停電時に制御回路部に電源供給を行うバックアップ用の電池を設けたことを特徴とする。
【００１４】
請求項１０の発明は、請求項１乃至９の何れか１つの発明において、タイマ設定部を用いて開閉素子をオンさせるオン設定時刻と、開閉素子をオフさせるオフ設定時刻とを少なくとも設定し、制御回路部に、オン設定時刻を含む所定の時間幅内でオン時刻をランダムに変化させる手段と、オフ設定時刻を含む所定の時間幅内でオフ時刻をランダムに変化させる手段とを設け、制御回路部は、計時タイマの計時した現在時刻がオン時間になると開閉素子をオンさせると共に、現在時刻がオフ時間になると開閉素子をオフさせることを特徴とする。
【発明の効果】
【００１５】
請求項１の発明によれば、タイマスイッチの器体が１連の取付枠に他の埋込型配線器具と共に並設可能な寸法に形成されているので、従来のタイマスイッチに比べて取付スペースの小型化を図ることができ、且つ、１連の取付枠を用いて他の埋込型配線器具とともに並設することができるから、施工性が向上するとともに、使い勝手が向上するという効果がある。
【００１６】
請求項２の発明によれば、遅れタイマによってオフ操作時から所定の遅れ時間だけ負荷の動作時間を延長することができるから、例えば負荷が照明器具の場合には照明器具を消灯させる操作を行った後も遅れ時間だけ点灯しているので、その場所を離れるまでの間、明かりを確保することができ、使い勝手が向上するという効果がある。
【００１７】
請求項３の発明によれば、負荷の動作を継続させる必要がない場合には、遅れタイマの限時中に操作スイッチの操作部を再度操作することによって、制御回路部が遅れタイマの限時動作を強制的に終了させて、開閉素子をオフさせているので、負荷を即座に停止させることができ、使い勝手が更に向上するという効果がある。
【００１８】
請求項４の発明によれば、器体の前面に回動自在に枢支された操作ハンドルの前面に、開口窓を露出させる状態と開口窓を覆う状態とを選択自在としてハンドルカバーを取着しており、ハンドルカバーで開口窓を覆うと、タイマ設定部や表示部が見えなくなって、一般的なスイッチと同様の外観になるので、使用者が操作ハンドルの操作部位を容易に判別でき、使い勝手が向上するという効果があり、且つ、タイマ設定部がハンドルカバーによって隠されているので、誤った操作でタイマ動作の設定が切り替わってしまうのを防止できるという効果もある。さらに、ハンドルカバーを開けて開口窓を露出させることによって、タイマ設定部の設定を行ったり、表示部の表示を見ることができるから、ハンドルカバーを開けることでタイマ動作の設定作業を容易に行えるという効果もある。
【００１９】
請求項５の発明によれば、制御回路部によって点灯表示部は負荷のオン時に消灯、オフ時に点灯、遅れタイマの限時中に所定周期で点滅させられているので、点灯表示部により位置表示を行うとともに、遅れ動作中であることが容易に判別できる。
【００２０】
請求項６の発明によれば、制御回路部は、タイマ設定フラグがリセットされている間は点灯表示部を所定周期よりも短い周期で点滅させており、停電などによって計時タイマの現在時刻が失われると、タイマ設定フラグがリセットされて、点灯表示部が所定周期よりも短い周期で点滅させられるので、現在時刻の設定が失われたことを目視によって容易に確認でき、時刻の再設定を使用者に促すことができる。
【００２１】
請求項７の発明によれば、制御モードがタイマ制御モードに切り替えられた場合には点灯表示部を所定周期よりも長い周期で点滅させているので、制御回路部の制御モードが何れのモードに設定されているかを点灯表示部の点灯状態から容易に判別できるという効果がある。
【００２２】
請求項８の発明によれば、電源回路部は、負荷のオフ時には一対の接続端子を介して流れる負荷の洩れ電流から動作電源を生成し、負荷のオン時には商用電源のゼロクロス点から開閉素子がオンするまでの間に一対の接続端子を介して供給される電力を電源として動作電源を生成しているので、一般的なスイッチと同様の結線方法で配線することができる。したがって、一般的なスイッチと同様に配線設計を行うことができ、既設のスイッチに置き換えてタイマスイッチを施工する作業を容易に行えるという効果がある。さらに商用電源の停電が発生すると、電源回路部に設けたコンデンサから制御回路部へ動作電源を供給するとともに、制御回路部が停電検知部からの停電検知信号に応じて計時タイマ以外の不要な機能を停止させているので、不要な機能を停止させることで制御回路部の消費電力を抑制し、コンデンサに蓄積された電荷によって制御回路部をより長い時間動作させることができ、短時間の停電であれば計時タイマの時刻が失われることがないという効果がある。
【００２３】
また、例えば照明器具のように負荷自体にオン／オフのためのスイッチを備えている場合、負荷側のスイッチでオフすることによって、電源回路部への電源供給が停止されるため、電源回路部から制御回路部に動作電源が供給されなくなるが、請求項９の発明によれば、商用電源の停電時にはバックアップ用の電池から制御回路部に電源供給されるから、負荷側のスイッチでオフされた場合でも制御回路部の動作電源を確保して、計時タイマの時刻が失われるのを防止できるという効果がある。
【００２４】
また、例えば負荷として照明器具を用い、この照明器具を決まった時刻に点灯、消灯させるようなタイマ制御を行って、家人が在宅しているように見せかける場合、毎日同じ時刻に照明器具を点灯、消灯させると、不在であると見破られる可能性があるが、請求項１０の発明によれば、タイマ設定部を用いて設定されたオン設定時刻およびオフ設定時刻をそれぞれ含む所定の時間幅内でオン時刻およびオフ時刻をそれぞれランダムに変化させているので、照明器具を点灯、消灯させるオン時刻およびオフ時刻を変化させることができ、家人が在宅しているように見せかける効果を高めることができる。
【発明を実施するための最良の形態】
【００２５】
以下に本発明の実施の形態を図面に基づいて説明する。
【００２６】
（実施形態１）
本発明の実施形態１を図１〜図１２に基づいて説明する。先ず、本実施形態のタイマスイッチＡの構造を図１〜図３に基づいて説明する。尚、以下の説明では特に断りがないかぎり、図３（ａ）に示す向きにおいて上下左右の方向を規定し、同図（ａ）の正面を前面として説明を行う。
【００２７】
タイマスイッチＡの器体１０は直方体状であって、前面開口した合成樹脂製のボディ１１と、ボディ１１の前面側に結合される後面開口した合成樹脂性のカバー１２とで形成されている。すなわち、カバー１２の後端縁からは後方に向かって組立片１２ａが延設され、組立片１２ａに設けた組立孔１２ｂがボディ１１の上下両面に形成してある組立突起１１ａに係合することによりボディ１１とカバー１２とが結合されている。
【００２８】
器体１０の左右方向の寸法は、埋込配線器具用の取付枠５０（図２参照）の窓孔５１の左右方向（短手方向）の寸法に略等しく、器体１０の前部を形成するカバー１２の左右両側面には、取付枠５０の窓孔５１を囲む両側片５２，５２に設けた器具取付孔（図示せず）に係合可能な取付手段としての取付爪１３が一対ずつ突設してあり、取付爪１３が取付枠５０の器具取付孔に係合することによって器体１０が取付枠５０に保持されるようにしてある。なおカバー１２の左右方向における一方の側壁（右側壁）には、一対の取付爪１３が突設された部位の上下両側部に後端が開放された２本の切り込み溝１４が前後方向に沿って形成されており、２本の切り込み溝１４の間の部位は厚み方向に可撓性を有する撓み片１５を形成している。カバー１２内において撓み片１５の裏面側には空所が形成され、撓み片１５をカバー１２の内側に撓ませることによって、撓み片１５に設けられた一対の取付爪１３をカバー１２の側面から弾性的に後退させることが可能となっている。
【００２９】
而してカバー１２の左側壁に設けた取付爪１３を取付枠５０の器具取付孔に挿入するとともに、右側壁に設けた取付爪１３をカバー１２の側面から後退させるようにして取付枠５０の窓孔５１に器体１０を挿入すれば、右側壁の取付爪１３が器具取付孔に挿入されて器体１０が取付枠５０に保持される。また撓み片１５をカバー１２の内側に押し込むようにすれば、撓み片１５に設けた取付爪１３が器具取付孔から抜け、取付枠５０から器体１０を取り外すことができる。なお撓み片１５の後端部外側面には撓み片１５の押し込みを容易にするために押突起１５ａが突設されている。
【００３０】
ところで、上述の取付枠５０は、規格化された単位モジュール寸法（１個モジュール寸法）の埋込型配線器具を短幅方向に３個並べて取付可能な１連の取付枠であって、タイマスイッチＡの器体１０は２個モジュール寸法に形成されており、図２（ｂ）に示すように１個モジュール寸法に形成されたスイッチなどの他の配線器具Ｂと並設することができる。なお取付枠５０は壁面などの造営面に取り付けられ、器体１０の後部は造営面に埋設される。また取付枠５０の前面側には、取付枠５０の窓孔５１よりも長寸かつ幅広の窓孔を備える化粧プレート（図示せず）が重ね合わせて配置され、この化粧プレートの窓孔からタイマスイッチＡの機能面や配線器具Ｂの機能面が露出するようになっている。
【００３１】
またボディ１１の内部には、後述の制御回路部２や電源回路部５の構成部品や外部電線を接続するための複数の端子などを実装したプリント配線板からなる回路基板１６が収納されている。ここに回路基板１６に実装される個々の端子は、ボディ１１の後壁に形成された電線挿入孔（図示せず）を通して器体１０内に挿入される外部電線を導電性を有する板ばねからなる鎖錠ばねのばね力によって接続保持する速結端子（図示せず）で構成してあり、鎖錠ばねを押圧して電線の鎖錠状態を解除するため解除釦（図示せず）も器体１０の内部に収納されている。なお複数の端子としては後述する一対の負荷接続端子Ｔａ，Ｔｂがある。
【００３２】
一方カバー１２にはプリント配線板からなる回路基板１７が収納され、この回路基板１７には前面が矩形状に形成された液晶表示部８や、操作スイッチたる押釦スイッチＳＷ１や、タイマ設定部、時刻設定部、遅れ時間設定部、およびモード切替部として機能するラバースイッチＳＷ２〜ＳＷ５や、点灯表示部たる発光ダイオードＬＤなどの回路部品が実装されている。そして、液晶表示部８と押釦スイッチＳＷ１の押釦１９（操作部）とラバースイッチＳＷ２〜ＳＷ５の押操作部２０ａ〜２０ｄと発光ダイオードＬＤとは、それぞれ、カバー１２の前壁に貫設された窓孔２１ａ〜２１ｆを通してカバー１２の前面（つまり器体１０の前面）に露出している。すなわち器体１０前面の右側寄りの部分において、上側に設けた四角形状の窓孔２１ａを通して液晶表示部８が露出し、窓孔２１ａの下側の略中央に設けた円形の窓孔２１ｂを通して押釦１９が露出し、窓孔２１ａの下側に左右２列に２個ずつ設けた円形の窓孔２１ｃ〜２１ｆを通してラバースイッチＳＷ２〜ＳＷ５の押操作部２０ａ〜２０ｄが露出する。またカバー１２前面の左端部には、回路基板１７に実装された発光ダイオードＬＤに対向する部位に透孔２２が貫設されており、この透孔２２を通して発光ダイオードＬＤが露出するようになっている。なお回路基板１７と上述の回路基板１６とは図示しないリード線を介して電気的に接続されている。
【００３３】
また器体１０の前面側には、押釦スイッチＳＷ１を操作するための操作ハンドル３０が器体１０の前面の略全体を覆う形で回動自在に取着されている。すなわちカバー１２の前面の左側端部には、操作ハンドル３０を枢着するために斜め前方に突出する一対の軸部２３が一体に突設してあり、一対の軸部２３を操作ハンドル３０後面の左端部に設けた軸受部（図示せず）に回動自在に嵌め込むことで、操作ハンドル３０が器体１０に対して回動自在に枢着されている。操作ハンドル３０の裏面には、カバー１２の前面に露出する押釦１９と対向する部位に押突起（図示せず）が突設されており、操作ハンドル３０の右側部を押操作すると、操作ハンドル３０が軸部２３を支点にして回動し、操作ハンドル３０の押突起によって押釦１９が押され、押釦スイッチＳＷ１がオンになる。一方、操作ハンドル３０を押操作する力を無くすと、操作ハンドル３０は押釦１９などの反力を受けて復帰位置に戻り、押釦１９を押す力がなくなって、押釦スイッチＳＷ１はオフになる。ここに器体１０の軸部２３と操作ハンドル３０の軸受部とで枢支部が構成される。
【００３４】
操作ハンドル３０は合成樹脂により矩形板状に形成されており、左右方向の寸法が化粧プレートの窓孔の左右方向（短手方向）寸法と略同じ寸法に形成され、上下方向の寸法が化粧プレートの窓孔の上下方向（長手方向）寸法の略３分の２の寸法に形成されている。操作ハンドル３０前面の右側部分には薄肉部３１が設けられ、この薄肉部３１にはカバー１２の窓孔２１ａに対応する部位に液晶表示部８を露出させる四角形状の開口窓３２が貫設され、窓孔２１ｃ〜２１ｆに対応する部位には押操作部２０ａ〜２０ｄをそれぞれ挿通させる円形の開口窓３３ａ〜３３ｄが貫設されている。また操作ハンドル３０前面の左側部には前方に突出する突台部３４が設けられ、この突台部３４の上下方向における略中央部には透光性を有する合成樹脂により形成された導光部材３６の突部３６ａが嵌め込まれる透孔３５が形成されており、器体１０内に収納された発光ダイオードＬＤからの光は、操作ハンドル３０に保持された導光部材３６を通して操作ハンドル３０の前面側に出射されるようになっている。このように液晶表示部８やラバースイッチＳＷ２〜ＳＷ４の押操作部２０ａ〜２０ｄは操作ハンドル３０の前面側に露出しているので、ハンドルカバー４０を開けると液晶表示部８の表示を見ながらタイマ動作の設定をユーザが容易に行えるようになっている。
【００３５】
また操作ハンドル３０には、液晶表示部８やラバースイッチＳＷ２〜ＳＷ４の押操作部２０ａ〜２０ｄが露出する部位（すなわち薄肉部３１）を開閉自在に覆うハンドルカバー４０が取り付けられている。ハンドルカバー４０は左右方向及び上下方向の寸法が、それぞれ、薄肉部３１の左右方向及び上下方向の寸法と略同じ寸法に形成されており、ハンドルカバー４０の左側部の上下両端部からは側方に向かって突出するアーム４１，４１が突設され、各アーム４１の先端部には突台部３４の上下両側面に設けた軸穴３７に枢支される軸４２が突設されている。而して突台部３４の軸穴３７にアーム４１の軸４２を軸支させることで、ハンドルカバー４０は、開口窓３２，３３ａ…を露出させる状態と開口窓３２，３３ａ…を覆う状態とを選択自在として操作ハンドル３０の前面に回動自在に取着されている。なおハンドルカバー４０の裏面には永久磁石４３が取着され、操作ハンドル３０の裏面には永久磁石４３に対応する部位に鉄片（図示せず）が取着されており、鉄片が永久磁石４３の磁力で吸着されることによって、ハンドルカバー４０が閉じた状態を保持するようになっている。
【００３６】
次にこのタイマスイッチＡの回路構成を図４のブロック図を参照して説明する。本回路は、開閉素子としてのトライアック１と、マイクロコンピュータからなる制御回路部２と、スイッチ入力部３と、後述の遅れ時間やオン設定時刻やオフ設定時刻などの設定データを記憶するＥＥＰＲＯＭ４と、電源回路部５と、計時用のクロックを制御回路部２に与える水晶振動子６と、動作クロックを制御回路部２に与えるセラミック振動子７と、液晶表示部８とを主要な構成として備える。
【００３７】
本回路では、商用電源ＡＣおよび負荷Ｌの直列回路が電気的に接続される一対の接続端子Ｔａ，Ｔｂ間にトライアック１を接続してあり、このトライアック１のターンオン／ターンオフを制御回路部２で制御している。制御回路部２は、セラミック振動子７から入力されたクロックをカウントすることによって現在の時刻を計時する計時タイマ２ａを備えており、計時タイマ２ａの計時した現在時刻と、タイマ設定部としてのラバースイッチＳＷ２…により設定されたタイマ動作の設定時刻とに基づいてトライアック１のターンオン／ターンオフを制御するようになっている。なお制御回路部２は３Ｖ駆動のマイクロコンピュータからなり、低電圧駆動のマイコンを使用することで制御回路部２の消費電力を抑制している。
【００３８】
スイッチ入力部３は、上述の押釦スイッチＳＷ１やラバースイッチＳＷ２〜ＳＷ５の操作を監視しており、押釦スイッチＳＷ１やラバースイッチＳＷ２〜ＳＷ５が押されると、そのスイッチ入力を制御回路部２に与えるようになっている。
【００３９】
電源回路部５は、レギュレータＩＣなどで構成される３Ｖ電源回路５ａとコンデンサ５ｂとを備える。３Ｖ電源回路５ａは、商用電源ＡＣの通電時に制御回路部２の動作電電を生成する回路であり、負荷のオフ時には接続端子Ｔａ，Ｔｂを介して流れる負荷Ｌの洩れ電流から制御回路部２の動作電源を生成するとともに、負荷のオン時には商用電源ＡＣのゼロクロス点から時刻ｔ１にトライアック１がオンするまでの期間に接続端子Ｔａ，Ｔｂを介して供給される電力を電源として動作電源を生成している。図５はトライアック１の両端間に印加される電源電圧Ｖの波形図であり、電源回路部５では期間ｔａ（商用電源ＡＣのゼロクロス点からトライアック１がオンするまで）の電源電圧Ｖを利用して動作電源を生成しており、図中に破線で示した期間は負荷Ｌを動作させるために利用される。
【００４０】
また電源回路部５は、商用電源ＡＣの通電時に接続端子Ｔａ，Ｔｂ間に流れる電流によって充電されるコンデンサ５ｂを備えており、商用電源ＡＣが停電して３Ｖ電源回路５ａからの電源供給が無くなると、コンデンサ５ｂから制御回路部２へ動作電源が供給される。また、通電時に動作電源を供給する３Ｖ電源回路５ａは、接続端子Ｔａの電圧から商用電源ＡＣの停電を検知する停電検知回路（図示せず）を内蔵しており、商用電源ＡＣの停電を検知すると、停電検知信号Ｓ１を制御回路部２に出力するようになっている。而して停電発生時には制御回路部２はコンデンサ５ｂから電源供給を受けて動作するのであるが、３Ｖ電源回路５ａから停電検知信号が入力されると、計時タイマ２ａ以外の不要な機能を停止することによって消費電力を抑制し、コンデンサ５ｂに蓄えられた電荷でより長い時間（約数十秒間）計時タイマ２ａを動作させて、現在の時刻を保持できるようにしている。なお制御回路部２は、３Ｖ電源回路５ａからの停電検知信号Ｓ１の入力を監視する機能の動作を継続させており、停電検知信号Ｓ１の入力が停止すると、停電が復帰したと判断し、停止中の機能を再び動作させ、通常と同様の動作を行う。
【００４１】
次にタイマスイッチＡの動作について図６〜図１１を参照して以下に説明する。先ず商用電源ＡＣが正常に給電されている場合の動作について説明する。図７（ａ）は液晶表示部８の表示画面を示しており、表示画面の上側には現在時刻や設定時刻を表す７セグメントの４桁の数字８ａが表示され、その数字８ａの下側に負荷の動作状態を示す「ＯＮ」「ＯＦＦ」の文字８ｂ，８ｃが左右に表示され、さらにその下側に現在の動作モードを表す丸印８ｄが液晶表示部８の下側（すなわち操作ハンドル３０の前面）の「通常」「遅れ」「いるふり」という文字に対応させて表示される。尚、表示画面の説明図では透明になって見えない数字や文字や丸印を点線で示し、黒く表示される部分は黒塗り又は実線で表示しており、他の説明図でも同様である。
【００４２】
上述のラバースイッチＳＷ４は、制御回路部２の制御モードを「いるふりモード（タイマ制御モード）」にセットするか、或いは、解除するか（すなわち「通常モード（手動操作モード）」に戻すか）を選択するためのスイッチ（モード切替部）であり、図８（ａ）に示すようにラバースイッチＳＷ４の押操作部２０ｄを押操作する度に（図中のａ，ｂ）、制御モードが「通常モード」→「いるふりモード」→「通常モード」…と交互に切り替わるようになっている。このとき制御回路部２は、通常モードに切り替えられると液晶表示部８の表示画面において「通常」の文字の上側にある丸印８ｄを表示させ、「いるふりモード」に切り替えられると「通常」および「いるふり」の文字の上側にある丸印８ｄを表示させる。また制御回路部２は、「いるふりモード」に切り替えられると発光ダイオードＬＤを２秒周期で点滅させている。
【００４３】
ラバースイッチＳＷ４の押操作部２０ｄを押操作して、制御モードを「通常モード」に切り替えた場合の動作を図６の状態遷移図に基づいて説明する。図２（ａ）に示すようにハンドルカバー４０を閉じた状態でハンドルカバー４０（操作ハンドル３０）の右側部を押操作すると、操作ハンドル３０が回動して、操作ハンドル３０の裏面で押釦スイッチＳＷ１の押釦１９が押圧され、スイッチ入力部３を介して押釦スイッチＳＷ１からのスイッチ入力が制御回路部２に入力される。ここで、トライアック１がＯＦＦしている状態で操作ハンドル３０の押操作に応じて制御回路部２に押釦スイッチＳＷ１からのスイッチ入力が与えられると（図６のａ）、制御回路部２はトライアック１をＯＮして、負荷Ｌに電源を供給するとともに、発光ダイオードＬＤを消灯させる（ＯＮ状態）。トライアック１がＯＮしている状態で操作ハンドル３０の押操作に応じて制御回路部２に押釦スイッチＳＷ１からのスイッチ入力が与えられると（図６のｂ）、制御回路部２は内蔵する遅れタイマ２ｂの限時動作を開始させ、遅れタイマ２ｂの限時動作中はトライアック１のＯＮ状態を継続させるとともに、発光ダイオードＬＤを所定周期（例えば１秒）で点滅させる（遅れＯＦＦ状態）。また遅れタイマ２ｂの限時動作中に操作ハンドル３０が再び押操作されて、制御回路部２に押釦スイッチＳＷ１からのスイッチ入力が与えられると（図６のｃ）、制御回路部２は遅れタイマ２ｂのカウント値をリセットして、再度遅れ時間の限時動作を開始させており、負荷の動作時間を延長する。そして遅れタイマ２ｂの限時動作が終了すると（図６のｄ）、制御回路部２はトライアック１をＯＦＦして、負荷Ｌへの電源供給を停止するとともに、発光ダイオードＬＤを点灯させる（ＯＦＦ状態）。
【００４４】
このように、負荷Ｌの停止操作後も遅れタイマ２ｂの限時動作が終了するまでの間、制御回路部２は負荷Ｌの動作を所定の遅れ時間だけ継続させており、負荷Ｌが例えば内玄関に設置されたランプの場合にはランプの消灯操作を行った後も靴を履いたり荷物を持つなどの動作を行って外に出るまでの間、明かりを確保することができ、使い勝手が向上する。また負荷Ｌが例えば台所や廊下に設置されたランプの場合にも消灯操作後に遅れ時間だけランプの点灯状態を延長することで、次の部屋に移動してランプを点灯させるまでの間、明かりを確保することができ、使い勝手が向上する。また遅れ時間の設定は、液晶表示部８にデジタル表示された時間を見ながら行えるので、遅れ時間を正確且つ容易に設定することができる。
【００４５】
また制御回路部２は、通常モードで制御中に、トライアック１のＯＦＦ時（すなわち負荷Ｌが照明器具の場合は照明器具の消灯時）に発光ダイオードＬＤを点灯させるとともに、トライアック１のＯＮ時（照明器具の点灯時）に発光ダイオードＬＤを消灯させており、消灯時に発光ダイオードＬＤを点灯させることで、タイマスイッチＡの位置表示を行っている。また遅れＯＦＦ状態では発光ダイオードＬＤを所定周期（例えば１秒周期）で点滅させているので、遅れタイマ２ｂによって負荷Ｌの動作が延長されていることを容易に確認できる。すなわち、負荷Ｌの停止操作を行った後も遅れタイマ２ｂの限時動作が終了するまでの間は負荷Ｌの動作が継続するため、負荷Ｌの動作状態からは停止操作を行ったことを確認できないが、遅れタイマ２ｂの動作によって負荷Ｌの動作を延長している間は発光ダイオードＬＤが点滅するので、発光ダイオードＬＤの点滅状態から負荷Ｌを停止させる操作を行ったことを容易に確認できる。
【００４６】
次にハンドルカバー４０を開いて開口窓３３ａ…を露出させた状態でラバースイッチＳＷ４の押操作部２０ｄを押操作して、制御モードを「いるふりモード」に切り替えると、制御回路部２は液晶表示部８の表示画面において「いるふり」の位置の丸印８ｄを表示させる。また制御回路部２は、発光ダイオードＬＤを上記の所定周期よりも長い周期（例えば２秒周期）で点滅させて、「いるふりモード」で動作していることを表示しており、ハンドルカバー４０を閉じて液晶表示部８の表示が見えない状態でも発光ダイオードＬＤの点滅状態から「いるふりモード」で動作していることが容易に判別できる。
【００４７】
この場合の動作を図８（ｂ）の状態遷移図に基づいて説明する。ハンドルカバー４０を閉じた状態でハンドルカバー４０の右側部を押操作すると、操作ハンドル３０が回動して、操作ハンドル３０の裏面で押釦スイッチＳＷ１の押釦１９が押圧され、スイッチ入力部３を介して押釦スイッチＳＷ１からのスイッチ入力が制御回路部２に入力される。ここで、トライアック１がＯＦＦして、照明器具のような負荷Ｌが消灯している状態（いるふり消灯）で計時タイマ２ａの計時した現在時刻が所定のオン設定時刻になると（図中のｃ）、制御回路部２はトライアック１をＯＮして、負荷Ｌに電源を供給するとともに、発光ダイオードＬＤを消灯させる（いるふり点灯）。その後、計時タイマ２ａの計時した現在時刻が所定のオフ設定時刻になると（図中のｄ）、制御回路部２はトライアック１をＯＦＦして、負荷Ｌへの電源供給を停止させるとともに、発光ダイオードＬＤを消灯させる（いるふり消灯）。
【００４８】
また、このようなタイマ制御を行っている間にも手動操作に応じて負荷をオン／オフさせることができ、トライアック１がＯＦＦしている状態で操作ハンドル３０の押操作に応じて制御回路部２に押釦スイッチＳＷ１からのスイッチ入力が与えられると（図中のｅ）、制御回路部２はトライアック１をＯＮして、負荷Ｌに電源を供給するとともに、発光ダイオードＬＤを消灯させる（いるふり点灯）。トライアック１がＯＮしている状態で操作ハンドル３０の押操作に応じて制御回路部２に押釦スイッチＳＷ１からのスイッチ入力が与えられると（図中のｆ）、制御回路部２は内蔵する遅れタイマ２ｂの限時動作を開始させ、遅れタイマ２ｂの限時動作中はトライアック１のＯＮ状態を継続させるとともに、発光ダイオードＬＤを所定周期（例えば１秒）で点滅させる（いるふり遅れＯＦＦ）。また遅れタイマ２ｂの限時動作中に操作ハンドル３０が再び押操作されて、制御回路部２に押釦スイッチＳＷ１からのスイッチ入力が与えられると（図中のｇ）、制御回路部２は遅れタイマ２ｂのカウント値をリセットして、再度遅れ時間の限時動作を開始させており、負荷の動作時間を延長する。そして遅れタイマ２ｂの限時動作が終了すると（図中のｈ）、制御回路部２はトライアック１をＯＦＦして、負荷Ｌへの電源供給を停止するとともに、発光ダイオードＬＤを点灯させる（いるふり消灯）。
【００４９】
このように「いるふりモード」では、毎日決まった時刻になると負荷Ｌをオン、オフさせているので、例えば負荷Ｌである照明器具を所定の時間帯に点灯させることで、家人が在宅していると見せかけて、防犯効果を発揮することができる。
【００５０】
なお照明器具が毎日決まった時刻に点灯、消灯していると、照明器具をタイマーでオン／オフしていることが判ってしまう可能性があるので、負荷Ｌをオン／オフするオン時刻およびオフ時刻を所定の時間幅で変化させるようにしても良い。すなわち制御回路部２が、予め設定されたオン設定時刻を含む所定の時間幅内（±１５分の時間幅内）でオン時刻をランダムに変化させると共に、予め設定されたオフ設定時刻を含む所定の時間幅内（±１５分の時間幅内）でオフ時刻をランダムに変化させており、上述の「いるふりモード」において計時タイマ２ａの計時した現在時刻がオン時刻になるとトライアック１をオンさせて負荷Ｌを動作させるとともに、計時タイマ２ａの計時した現在時刻がオフ時刻になるとトライアック１をオンさせて負荷Ｌの動作を停止させている。このように制御回路部２は、タイマ設定部を用いて設定されたオン設定時刻およびオフ設定時刻をそれぞれ含む所定の時間幅内でオン時刻およびオフ時刻をそれぞれランダムに変化させているので、照明器具を点灯、消灯させるオン時刻およびオフ時刻を毎日ランダムに変化させることができ、家人が在宅しているように見せかける効果を高めることができる。ここに、制御回路部２の演算機能によって、オン時刻およびオフ時刻をランダムに変化させる手段が実現される。なお「いるふりモード」として、予め設定されたオン設定時刻およびオフ設定時刻で負荷Ｌをオン／オフする定刻動作モードと、予め設定されたオン設定時刻およびオフ設定時刻を上述の方法で毎回変化させて負荷Ｌをオン／オフする時間変化モードとの２つのモードを設け、「通常モード」から「いるふりモード」に切り換えらた場合に定刻動作モード又は時間変化モードに交互に切り替えることで、時間通りに負荷を動作させるモードと、負荷をオン／オフさせる時間をランダムに変化させる「いるふりモード」とを選択できるようにしても良い。
【００５１】
次に商用電源ＡＣの停電時および停電発生後の復電時の動作について図１０を参照して説明する。通電状態では電源回路部５から制御回路部２へ動作電源が供給されており、計時タイマ２ａによって現在時刻が保持されている（図中のア）。この通電状態では制御回路部２は「通常モード」或いは「いるふりモード」で制御動作を行う。また制御回路部２は計時タイマ２ａに現在時刻が設定されていると、タイマ設定フラグをセットしており、このフラグがセットされていれば、上述のように負荷Ｌのオン／オフに合わせて発光ダイオードＬＤの点灯状態を制御する。
【００５２】
この状態で停電が発生し（図中のａ）、商用電源ＡＣからの電源供給が無くなると、３Ｖ電源回路５ａの備える停電検知回路（図示せず）が停電を検知して、制御回路部２に停電検知信号Ｓ１を出力するとともに、コンデンサ５ｂから制御回路部２へ動作電源が供給される。したがって制御回路部２は、停電発生時にもコンデンサ５ｂから電源供給を受けて、計時タイマ２ａの計時動作を数十秒間継続させることができ、コンデンサ５ｂの放電が終了するまでの間、現在時刻を保持することができるようになっており、電力供給が短時間で復旧すれば（瞬時停電）、現在時刻が失われることはない。なお制御回路部２は停電検知信号Ｓ１が入力されると、計時タイマ２ａ以外の不要な機能を停止させることで消費電力を抑制しており、コンデンサ５ｂに蓄積された電荷によってより長い時間計時タイマ２ａを動作させることができる。このとき制御回路部２は、３Ｖ電源回路５ａからの停電検知信号Ｓ１の入力を監視する機能の動作を継続させており、停電検知信号Ｓ１の入力が停止すると、停電が復帰したと判断し、停止中の機能を再び動作させ、通常と同様の動作を行う。
【００５３】
一方、停電が長時間続き、コンデンサ５ｂが放電し終わるまで電源オフの状態が継続すると、計時タイマ２ａの計時動作が停止してしまい、現在の時刻が失われてしまう（図中のイ）。その後、停電が復帰すると（図中のｂ）、電源回路部５から制御回路部２へ動作電源が供給され、制御回路部２が制御動作を開始する。制御回路部２は初期動作時（すなわち計時タイマ２ａに現在時刻が設定されていない場合）に上記のタイマ設定フラグをリセットしており、このフラグがリセットされていると発光ダイオードＬＤを上記の所定期間よりも短い周期（例えば０．４秒周期）で点滅させるとともに、液晶表示部８の数字８ａを「−−：−−」に切り替えて、計時タイマ２ａに時刻が設定されていないことを報知し、使用者に対して時刻設定を促している（図中のウ）。このように計時タイマ２ａに現在時刻が設定されていない場合は、制御回路部２が液晶表示部８の表示に加えて、発光ダイオードＬＤを短い周期で点滅させているので、ハンドルカバー４０を閉じて液晶表示部８の表示が見えない状態でも現在時刻が設定されていないことを容易に判別できる。
【００５４】
そして、後述の設定方法により計時タイマ２ａに現在時刻を設定すると（図中のｄ）、計時タイマ２ａが現在時刻を保持している状態となり（図中のア）、制御回路部２はタイマ設定フラグをセットして、発光ダイオードＬＤの点滅を停止させ、負荷Ｌのオン／オフに合わせて発光ダイオードＬＤの点灯状態を制御する。なお計時タイマ２ａに現在時刻が保持されている状態で制御回路部２を構成するマイクロコンピュータがリセットされると（図中のｃ）、計時タイマ２ａの計時動作が停止して、現在の時刻が失われてしまうのであるが、リセット後の動作開始時にタイマ設定フラグはリセットされるため、上述と同様に制御回路部２は発光ダイオードＬＤを所定周期よりも短い周期で点滅させるとともに、液晶表示部８の数字８ａを「−−：−−」に切り替えて、発光ダイオードＬＤを所定周期よりも短い周期で点滅させており、計時タイマ２ａに現在時刻がセットされていないことを報知し、使用者に時刻設定を促すのである。
【００５５】
次に遅れ時間設定部やタイマ設定部や時刻設定部を用いてタイマ動作に関わる時刻設定や現在時刻の設定を行う方法について説明する。
【００５６】
先ず、遅れＯＦＦ状態を継続する遅れ時間の設定方法を図７（ａ）（ｂ）を参照して説明する。上述のラバースイッチＳＷ３は、スイッチ操作或いはタイマ制御によって負荷のオン／オフを切り替える「通常」モード、遅れ時間を設定する「遅れ」モード、いるふり制御を行う際のオン設定時刻およびオフ設定時刻を設定する「いるふり」モードの何れかに制御回路部２の動作モードを切り替えるためのスイッチであり、ハンドルカバー４０を開いた状態でラバースイッチＳＷ３の押操作部２０ｃを押操作する度に動作モードが「通常」→「遅れ」→「いるふり」→「通常」…のように周期的に切り替えられ、現在の動作モードに対応する位置に丸印８ｄが表示される。
【００５７】
図７（ａ）に示すように丸印８ｄを「遅れ」の位置に合わせると、遅れ時間を設定するモードに切り替わり、液晶表示部８の数字８ａで現在の遅れ時間が表示されると共に、遅れ時間の表示（数字８ａ）と丸印８ｄとが点滅する。例えば遅れ時間の初期値は３０秒に設定され、０秒から５分までの範囲で遅れ時間を設定できるようになっている。そして遅れモードで動作中に「秒」を入力するラバースイッチＳＷ２の押操作部２０ｂ（遅れ時間設定部）を押操作すると、遅れ時間の設定値が１０秒単位で増加する。なお遅れ時間が調整範囲の最大値まで変化すると、遅れ時間がゼロに戻って、再び０秒から増加するようになっている。また押操作部２０ｂを２秒以上長押しすると、遅れ時間の設定が早送りされるので、短時間で時間設定が行えるようになっている。その後、図７（ｂ）に示すように遅れ時間の設定作業を終了して、上述したラバースイッチＳＷ３の操作部２０ｃを押操作し、制御回路部２の動作モードを「通常」モードに戻すと、制御回路部２はこのときの設定値を遅れ時間としてＥＥＰＲＯＭ４に登録し、「通常」の位置に丸印８ｄを表示させるとともに、数字８ａにより現在の時刻を表示させる。
【００５８】
また、「いるふりモード」で使用するオン設定時刻とオフ設定時刻の設定方法を図９（ａ）〜（ｄ）を参照して説明する。動作モードを切り替えるラバースイッチＳＷ３の押操作部２０ｃを押操作して、図９（ａ）に示すように丸印８ｄを「いるふり」の位置に合わせると、制御回路部２の動作モードが「いるふりモード」の時間設定を行うモードに切り替えられて、制御回路部２が液晶表示部８のＯＮの文字８ｂを表示させるとともに、数字８ａで現在のオン設定時刻（例えば１８：００）を表示させ、さらに丸印８ｄを点滅させている。この状態で時、分を入力するラバースイッチＳＷ１，ＳＷ２の押操作部２０ａ，２０ｂ（タイマ設定部）を押操作すると、所定の増分で時、分の表示が増加し、０〜２４、０〜５９の範囲で周期的に変化する。なお押操作部２０ａ，２０ｂをそれぞれ２秒以上長押しすると、時、分の設定が早送りされるので、短時間で時間設定が行えるようになっている。その後、図９（ｂ）に示すようにオン設定時刻を例えば１９：３０に設定した状態で、ラバースイッチＳＷ３の操作部２０ｃを１回押操作すると、制御回路部２はこのときの設定値をオン設定時刻としてＥＥＰＲＯＭ４に記憶させた後、液晶表示部８のＯＮの文字８ｂを消してＯＦＦの文字８ｃを表示させ、数字８ａで現在のオフ設定時刻（例えば２４：００）を表示させる（図９（ｃ）参照）。この状態で時、分を入力するラバースイッチＳＷ１，ＳＷ２の押操作部２０ａ，２０ｂを押操作すると、所定の増分で時、分の表示が増加し、図９（ｄ）に示すようにオフ設定時刻を例えば１：００に設定した状態で、ラバースイッチＳＷ３の操作部２０ｃを１回押操作すると、制御回路部２はこのときの設定値をオフ設定時刻としてＥＥＰＲＯＭ４に記憶させた後、通常モードに戻り、液晶表示部８のＯＦＦの文字８ｂを消して、「通常」の位置にある丸印８ｄを点灯させるとともに、数字８ａにより現在の時刻を表示させる。
【００５９】
また、時刻設定部を用いて計時タイマ２ａに現在時刻を設定する方法について図１１（ａ）（ｂ）を参照して説明する。ハンドルカバー４０を開いた状態で、例えば時刻の設定に用いるラバースイッチＳＷ２の押操作部２０ａと、分／秒の設定に用いるラバースイッチＳＷ３の押操作部２０ｂとを同時押しすると、制御回路部２の動作が現在時刻の設定モードに切り替わり、現在時刻（例えば１：００）の表示（数字８ａ）が点滅する（同図（ａ）参照）。この状態で、ラバースイッチＳＷ２，ＳＷ３の押操作部２０ａ，２０ｂ（時刻設定部）を押操作すると、所定の増分で時、分の表示が増加し、０〜２４、０〜５９の範囲で周期的に変化する。なお押操作部２０ａ，２０ｂをそれぞれ２秒以上長押しすると、時、分の設定が早送りされるので、短時間で時間設定が行えるようになっている。現在時刻の表示を所望の時刻（例えば１：０８）に合わせた後に押操作部２０ａ，２０ｂを離すと、その時点から計時タイマ２ａがカウントを開始しており、押操作部２０ａ，２０ｂを離してから一定時間が経過すると、制御回路部２は現在時刻の設定モードを終了し、タイマ設定フラグをセットして、計時タイマ２ａにより現在時刻を保持させるとともに、現在時刻の表示（数字８ａ）の点滅を停止させる（同図（ｂ）参照）。
【００６０】
ところで、本実施形態のタイマスイッチＡは上述のような構造を有しており、その器体１０は２個モジュール寸法に形成されているので、従来のタイマスイッチに比べて取付スペースの小型化を図ることができ、且つ、１連の取付枠５０を用いて単位モジュール寸法の他の埋込型配線器具と共に並設することができる。例えばこのタイマスイッチＡを内玄関に設置して、内玄関を照明するランプをオン／オフする場合、内玄関に繋がる廊下に設置したランプをオン／オフするスイッチをタイマスイッチＡと並設したいという要望があるが、タイマスイッチＡの器体１０は２個モジュール寸法に形成されているので、１連の取付枠を用いて単位モジュール寸法の埋込型配線器具と共に並設することができ、埋込型配線器具の増設にも容易に対応できる。なお器体１０の大きさを２個モジュール寸法に限定する趣旨のものではなく、１連の取付枠５０に他の埋込型配線器具と共に並設可能な寸法であれば、どのような寸法に形成しても良く、例えば図１２（ａ）（ｂ）に示すように器体１０の大きさを単位モジュール寸法（１個モジュール寸法）としても良い。
【００６１】
また、使用者がタイマスイッチＡのタイマ機能を使用せず、単なるオン／オフスイッチとして使用する場合には、不必要な液晶表示部８やタイマ設定部が見えていると紛らわしいため、液晶表示部８やタイマ設定部を見えないようにしたいという要望がある。そこで、本実施形態ではハンドルカバー４０によって液晶表示部８やタイマ設定部を隠すと、一般的な押釦スイッチと略同じ外観になるので、操作ハンドル３０（ハンドルカバー４０）の操作部位を容易に判別でき、しかも操作ハンドル３０の大きさを器体１０の前面と略同じ大きさに形成できるので、操作部位が大きくなり、使い勝手が向上する。またタイマ設定部や時刻設定部がハンドルカバー４０によって隠されるので、誤った操作でタイマ動作の設定が変更されたり、現在時刻の設定が変更されるのを防止でき、またタイマ動作の設定を行う場合にはハンドルカバー４０を開けることで、タイマ設定部が露出するから、タイマ動作の設定作業を容易に行うことができる。
【００６２】
なお本実施形態では液晶表示部８やタイマ設定部を見えないように隠すハンドルカバー４０を設けているので、遅れ制御やいるふり制御を行う際に液晶表示部８の表示が見えないため、負荷の制御状態が判りにくいという課題があるが、遅れ制御時やいるふり制御時に異なる周期で発光ダイオードＬＤを点滅させることで、負荷の制御状態を容易に把握できるという効果がある。
【００６３】
また、図１６（ａ）（ｂ）は上述した従来のタイマスイッチ１００の結線図を示しており、商用電源ＡＣからの電線Ｌ１が接続される２個の端子と、負荷Ｌからの電線Ｌ２が接続される２個の端子が設けられており、接地側の電線が接続される端子はタイマスイッチ１００の内部で短絡されているから、配線施工時には高圧側の２本の電線と接地側の電線の計３本をタイマスイッチの端子に接続するような接続方式（所謂３線方式）が行われている。一般的なスイッチの場合は商用電源と負荷の直列回路が接続される一対の接続端子を備え、２線方式で接続されているのに対して、従来のタイマスイッチ１００は３線方式で接続されるため、既設のスイッチをタイマスイッチ１００に置き換える場合には、既設のスイッチに接続されていた２本の電線に加えて接地側の電線を接続するように、配線し直さなければならず、タイマスイッチ１００に置き換える作業を簡単に行うことはできなかった。それに対して、本実施形態のタイマスイッチＡでは、制御回路部２の動作電源を生成する電源回路部５が、負荷Ｌのオフ時には負荷Ｌの洩れ電流から動作電源を生成し、負荷Ｌのオン時には商用電源ＡＣのゼロクロス点からトライアック１がオンするまでの電圧から動作電源を生成しているので、負荷Ｌと商用電源ＡＣの直列回路が接続される一対の接続端子Ｔａ，Ｔｂだけで済み、したがって一般的なスイッチと同様の配線方法で施工できるので、配線の施工設計や実際の施工作業を容易に行うことができる。
【００６４】
（実施形態２）
本発明の実施形態２を図１３を参照して説明する。尚、電源回路部５以外の構成は実施形態１と同様であるので、共通する構成要素には同一の符号を付して、その説明は省略し、本実施形態の特徴部分のみを説明する。
【００６５】
上述した実施形態１では電源回路部５に、通電時に接続端子Ｔａ，Ｔｂを介して流れる電流によって充電され、停電発生時に制御回路部２へ電源を供給するコンデンサ５ｂを設けていたが、負荷Ｌが照明器具のように負荷自体にオン／オフのためのスイッチを備えている場合、負荷側のスイッチを長時間オフすると、負荷の洩れ電流がタイマスイッチＡに流れなくなるから、コンデンサ５ｂが放電してしまい、計時タイマ２ａの時刻が失われてしまう可能性がある。
【００６６】
そこで、本実施形態では電源回路部５に３Ｖ電源回路５ａと電池５ｃとを設け、３Ｖ電源回路５ａおよび電池５ｃからそれぞれダイオードＤ１，Ｄ２を介して制御回路部２に動作電源を供給している。そして、通電時には実施形態１と同様に３Ｖ電源回路５ａから制御回路部２へ動作電源を供給し、停電発生時には３Ｖ電源回路５ａの出力電圧が低下してダイオードＤ１がオフ、ダイオードＤ２がオンになって、電池５ｃから制御回路部２へ動作電源を供給している。
【００６７】
ここで、負荷Ｌが照明器具のように負荷自体にオン／オフのためのスイッチを備えている場合、負荷側のスイッチをオフすると、負荷の洩れ電流がタイマスイッチＡに流れなくなるから、通電時であっても電源回路部５から制御回路部２に動作電源が供給されなくなる。このとき本実施形態では電池５ｃから制御回路部２へ動作電源が供給されるので、制御回路部２の動作を継続させ、計時タイマ２ａに現在時刻を保持させることができる。また停電発生時にも電池５ｃから制御回路部２へ動作電源が供給されるので、制御回路部２の動作を継続させ、計時タイマ２ａに現在時刻を保持させることができる。
【００６８】
（実施形態３）
本発明の実施形態３を図１４を参照して説明する。尚、遅れタイマによる遅れ制御以外の動作および構成は実施形態１又は２と同様であるので、共通する構成要素には同一の符号を付して、その説明は省略し、本実施形態の特徴部分のみを説明する。
【００６９】
ハンドルカバー４０を閉じた状態でハンドルカバー４０の右側部を押操作すると、操作ハンドル３０が回動して、操作ハンドル３０の裏面で押釦スイッチＳＷ１の押釦１９が押圧され、スイッチ入力部３を介して押釦スイッチＳＷ１からのスイッチ入力が制御回路部２に入力される。ここで、トライアック１がＯＦＦしている状態で操作ハンドル３０の押操作に応じて制御回路部２に押釦スイッチＳＷ１からのスイッチ入力が与えられると（図１４のａ）、制御回路部２はトライアック１をＯＮして、負荷Ｌに電源を供給するとともに、発光ダイオードＬＤを消灯させる（オン状態）。トライアック１がオンしている状態で操作ハンドル３０の押操作に応じて制御回路部２に押釦スイッチＳＷ１からのスイッチ入力が与えられると（図中のｂ）、制御回路部２は内蔵する遅れタイマ２ｂの限時動作を開始させ、遅れタイマ２ｂの限時動作中はトライアック１のＯＮ状態を継続させるとともに、発光ダイオードＬＤを所定周期（例えば１秒）で点滅させる（遅れオフ状態）。そして遅れタイマ２ｂの限時動作が終了すると（図中のｃ）、制御回路部２はトライアック１をオフして、負荷Ｌへの電源供給を停止するとともに、発光ダイオードＬＤを点灯させる（オフ状態）。また遅れタイマ２ｂの限時動作中（遅れオフ状態）に操作ハンドル３０の押操作に応じて押釦スイッチＳＷ１からのスイッチ入力が制御回路部２に入力されると、制御回路部２は遅れタイマ２ｂの限時動作を強制的に終了させて、トライアック１をオフし、負荷Ｌへの電源供給を停止するとともに、発光ダイオードＬＤを点灯させる（オフ状態）。
【００７０】
このように、本実施形態においても操作ハンドル３０の停止操作後も遅れタイマ２ｂの限時動作が終了するまでの間、制御回路部２は負荷Ｌの動作を所定の遅れ時間だけ継続させるのであるが、負荷の動作を継続させる必要がない場合には、遅れタイマ２ｂの限時中に操作ハンドル３０を再度操作することによって、制御回路部２が遅れタイマ２ｂの限時動作を強制的に終了させて、トライアック１をオフさせているので、負荷Ｌを即座に停止させることができる。したがって、例えば就寝時や点検のために負荷Ｌの照明器具をすぐに消灯させたい場合でも、操作ハンドル３０を２回続けて押操作することで、照明器具を即座に消灯させることができ、使い勝手が更に向上する。
【図面の簡単な説明】
【００７１】
【図１】実施形態１のタイマスイッチを示し、（ａ）はハンドルカバーを閉じた状態の外観斜視図、（ｂ）はハンドルカバーを開いた状態の外観斜視図である。
【図２】同上を取付枠に取り付けた状態を示し、（ａ）はハンドルカバーを閉じた状態の正面図、（ｂ）はハンドルカバーを開いた状態の正面図である。
【図３】同上の分解斜視図である。
【図４】同上のブロック回路図である。
【図５】同上の電源回路部に供給される電源電圧の波形図である。
【図６】同上の通常モードの動作を説明する状態遷移図である。
【図７】（ａ）（ｂ）は同上の遅れ時間の設定方法を説明する説明図である。
【図８】（ａ）は同上のモード切替動作を説明する状態遷移図、（ｂ）は同上のタイマ動作を説明する状態遷移図である。
【図９】（ａ）〜（ｄ）は同上のオン設定時刻およびオフ設定時刻の設定方法を説明する説明図である。
【図１０】同上の停電発生時およびリセット時の動作を説明する状態遷移図である。
【図１１】（ａ）（ｂ）は同上の遅れ時間の設定方法を説明する説明図である。
【図１２】同上の他の構成を取付枠に取り付けた状態を示し、（ａ）はハンドルカバーを閉じた状態の正面図、（ｂ）はハンドルカバーを開いた状態の正面図である。
【図１３】実施形態２のタイマスイッチのブロック回路図である。
【図１４】実施形態３のタイマスイッチの動作を説明する状態遷移図である。
【図１５】（ａ）は従来のタイマスイッチを取付枠に取り付けた状態の正面図、（ｂ）は側面図である。
【図１６】（ａ）（ｂ）は同上の結線方法を説明する説明図である。
【符号の説明】
【００７２】
８  液晶表示部
１０  器体
１３  取付爪
２０ａ〜２０ｄ  押操作部
３０  操作ハンドル
３２，３３ａ〜３３ｄ  開口窓
【図１】
2005353553.tif 000003
【図２】
2005353553.tif 000004
【図３】
2005353553.tif 000005
【図４】
2005353553.tif 000006
【図５】
2005353553.tif 000007
【図６】
2005353553.tif 000008
【図７】
2005353553.tif 000009
【図８】
2005353553.tif 000010
【図９】
2005353553.tif 000011
【図１０】
2005353553.tif 000012
【図１１】
2005353553.tif 000013
【図１２】
2005353553.tif 000014
【図１３】
2005353553.tif 000015
【図１４】
2005353553.tif 000016
【図１５】
2005353553.tif 000017
【図１６】
2005353553.tif 000018